(57)【要約】      （修正有）【課題】ハウス内に完熟人工榾木を棚並べして給水し水管理する場合に、水分が適正範囲に保持されるように、水加減しやすくなる給水量検出表を提供する。【解決手段】完熟して茸の発芽時期を迎えた人工榾木の重量を縦軸７にとり、該時期の初日から収穫が終了する日までの収穫管理期間を横軸８にとり、収穫管理期間において、最大収穫量を見込む適正な含水量の人工榾木の重量を、経過する日ごとに分かるようにグラフ線２を表記してなる。【選択図】図１
0003196992.tif 000002
【実用新案登録請求の範囲】
【請求項１】
完熟して茸の発芽時期を迎えた人工榾木の重量を縦軸にとり、該時期の初日から収穫が終了する日までの収穫管理期間を横軸にとり、収穫管理期間において、最大収穫量を見込む適正な含水量の人工榾木の重量を、経過する日ごとに分かるようにグラフ線を表記してなることを特徴とする収穫期人工榾木の給水量検出表。
【請求項２】
茸の栽培期間を幾つかに初期、中期、後期に区分し、区分毎に適正水分の榾木重量目安のホダ木重量目安欄と、榾木当たりの茸の収穫量の累計を示す収穫目安の欄とが表示される栽培散水管理モデル表が添付してあることを特徴とする請求項１記載の収穫期人工榾木の給水量検出表。
【考案の詳細な説明】
【技術分野】
【０００１】
この考案は、完熟した収穫期人工榾木に、茸が適正に発芽・育成・収穫され得るように助けとなる収穫期人工榾木の給水量検出表に関する。
【背景技術】
【０００２】
人工榾木は、おが屑や米ぬか等に肥料を加えて水で練りブロック状に成形したもので、原木に代わってこれを使用する栽培を菌床栽培というが、原木栽培が重労働で生産性が低いのに対して、菌床栽培がブロック状の人工榾木を使用することで合理化をなしやすいため現在主流となっている。しかし、菌床栽培では、原木に比べると保水性に乏しいため、散水または浸水等による水管理が欠かせなく非常に重要である。
【０００３】
収穫期人工榾木とは、おが屑や米ぬか等の材料の調整とともに、ブロック状の成形をしてから、種菌の接種をした後、菌床全体に菌が蔓延するまで完熟させる手数をかけたものをいう。言わば茸の収穫が可能な時期を迎えた言わば製品化されて榾木と言える。それを茸の収穫部門又は生産者(農家等)に渡して茸の発芽・生育等に専念させる分業体制を取られることが多いが、殊に農家等の生産者においては、不慣れなために水分調整としての水管理が難しかった。
【考案の概要】
【考案が解決しようとする課題】
【０００４】
水管理については、栽培棚に収穫期人工榾木を配置し、上からスプリンクラーにより時々散水が施される。この時、最適水分含水量に過不足がないことが要求されるが、これが具体的には分かりにくかった。特に、一般農家等を生産者としてそれに分業させる体制をとった場合、水の過剰により人工榾木にカビが発生したり、収穫した茸が水っぽく傷みやすかったり、逆に水分不足により期待する収穫量が得られない等の事態を招くことがあり、また、このようなことの無いように指導することも容易ではなかった。
【０００５】
この考案は、上記のような実情に鑑みて、ハウス内に完熟人工榾木を棚並べして給水し水管理する場合に、水分が適正範囲に保持されるように、水加減しやすくなる給水量検出表を提供することを課題とした。
【課題を解決するための手段】
【０００６】
上記の課題を解決するために、この考案は、完熟して茸の発芽時期を迎えた人工榾木の重量を縦軸にとり、該時期の初日から収穫が終了する日までの収穫管理期間を横軸にとり、収穫管理期間において、最大収穫量を見込む適正な含水量の人工榾木の重量を、経過する日ごとに分かるようにグラフ線を表記してなることを特徴とする収穫期人工榾木の給水量検出表を提供する。
【０００７】
完熟した収穫期人工榾木の適正給水量検出表を上記のように構成したから、これをハウス内に棚配置して水管理する場合に、毎日又は定期的にサンプル採取することにより、その値がグラフ線の位置から判断して不足があればその分量の重量になるように散水し、過不足がなければそのままにして散水を見合わせる。なお、吸水は散水によるとは限らなく他の手段、例えば水に浸すような手段であっても良い。
【考案の効果】
【０００８】
以上説明したように、この考案の収穫期人工榾木の給水量検出表によれば、ハウス内で水管理する場合に、サンプル採取して榾木の重量を計り、グラフ線で表示される該当日の値と比較して一見して榾木重量の過不足を判別し、それを参考に吸水することにより、最も効率的に茸の発芽・育成・収穫に適する吸水を施すことができるが、水分の適正によりカビの発生や不良茸の発生もなくなり、分業による茸の栽培指導も容易となるという優れた効果がある。
【図面の簡単な説明】
【０００９】
【図１】この考案の収穫期人工榾木の給水量検出表を示す平面図である。
【図２】この収穫期人工榾木の給水量検出表に添付して参考にされる「栽培散水管理モデル表」である。
【図３】この考案を実施する栽培ハウスの側面から見た模式的断面図である。
【図４】同ハウス内に装備される散水ノズルの構造を示す正面から見た説明図である。
【図５】同ハウス内における散水状況(散水ノズルによる散水範囲)を平面から見た説明図である。
【図６】同ハウス内における散水状況（散水ノズルによる散水範囲）を正面から見た説明図である。
【考案を実施するための形態】
【００１０】
この考案による給水量検出表は完熟した収穫期人工榾木に適用する。紙やプラスチックのシート４に線グラフを表示したものであるが、必要に応じて、目的、見方等の説明書きが付されることがある。
【００１１】
収穫期人工榾木とは、製造については、おが屑、米ぬか、肥料等を混合して水で練ってブロック状に成形し、種菌を接種してから、菌が蔓延するまで熟成させて収穫期を迎えたものであるのであるが、茸の栽培は別の環境でなすために、同じ工場では別部門に搬送され、外へは農家等に分配して、いずれも空調管理が完備したハウス内で例えば１５０日の有効栽培日数をかけて収穫作業が行われ、その時にこの考案の「収穫期人工榾木の給水量検出表」が使用される。
【００１２】
「収穫期人工榾木の給水量検出表」は、適正に発芽・収穫が得られる場合の「榾木重量モデル推移」を表したもので、定期的なサンプル採取をもとに表示されると、折れ線グラフとなるが、実施例では、最初と最後とを取って直線グラフとして表示される。いずれであっても良いものとする。
【実施例１】
【００１３】
収穫期人工榾木の給水量検出表Ｈは、完熟人工榾木Ｐについて、紙やプラスチックのシート４に、前記したようないわば適正な「榾木重量モデル推移」グラフを表示したもので、そのグラフは、縦軸に一個の完熟榾木Ｐの重量を取り、栽培期間を１５０日として横軸に５日毎の日数を取って、５日毎の榾木Ｐの最適重量の減少推移を表したグラフ線２が表示される。
【００１４】
グラフ線２は、日数の経過とともに下がる傾斜した直線に表示されるが、これは重量の変化と日数の経過とは比例関係にあることに着眼したからで、最初の重量の値は、約１１００g、最終(１５０日目)の値は５００gであるので、その両点を結んでグラフ線２を表示した。その間に６００gの減少量であるので、一日に換算すると約４gの減少に相当する。これは、椎茸の収穫量の他に、人工榾木Ｐの生命活動に伴う栄養成分量等を主に差し引いた量であり、この減量による重量が適正水分を保持していることをグラフが表示している。
【００１５】
そこで、給水量検出表Ｈを使用するときに、３０日目であると、９８０gを示しているので、サンプル採取によりそれよりも当日の人工榾木Ｐが重いならば、散水時間を少なめにして、軽いならば散水時間を多めにすることで水分調整する。８０日目であると７６０g、１００日目であると７００gと見て取れるので、それを目安に散水量を同様に調整する。次に、この水管理をするためのハウス１内の装備について説明する。
【００１６】
ハウス１内には栽培棚３が配置され（図３）、それぞれ１台が７段(幅４．０×奥行０．６５×高さ１．６m)で人工榾木Ｐ，Ｐ，・・を上下において千鳥状に配列できるものである(図５、図６)。
【００１７】
棚３には上部からスプリンクラー５で散水できるようにそれが配管とともに配列される。スプリンクラー５は、図４に示すように、ノズル１１に回転枠１３が取り付けられ、それにノズル１１からの噴出水が突き当たる突起１５が設けられているので、衝突した水は周囲に分散する（矢印参照）。散水量は０．６１/分であり、ノズル内径０．９mm、散水パターン３６０°回転範囲において、水圧２．５kgｆ/cm2により散水直径１．１mであって、人工榾木の配列全体が円形の噴霧範囲１７に覆われる(図５、図６)。
【００１８】
温度調整は、２４時間を通じて行われるが、散水については、１日１回、夕方に行なうことを標準とする。散水量は通常０．５時〜３．０時間を目安とし、人工榾木Ｐの重量、弾力性、椎茸発生量等に応じて、タイマー制御により散水時間が増減して適量散水される。この際に、下記する栽培散水管理モデル表Ｇを参考にして散水量をさらに適正に補正できる。
【００１９】
栽培散水管理モデル表Ｇは、図２に示すもので、１５０日の有効栽培日数を初期、中期、後期に分け、さらに、「栽培日数」の欄を設け、初期では０日、３０日、４５日毎に、中期では６０日、９０日、１０５日毎に、後記では１２０日、１５０日毎にそれぞれ区分し、各期の日数区分毎における適正な「ホダ木重量目安」と、「収量目安」の欄とを設け、収量は榾木（ホダ）当り累計として表示した。適正な「ホダ木重量目安」については、榾木重量＋榾木当たり累積収穫量＝１，０００g前後とみると、榾木の有効重量が推測され得るので、これを参考に併用することにより散水量の適正な補正が可能となる。
【符号の説明】
【００２０】
Ｈ  収穫期人工榾木の給水量検出表
Ｇ  栽培散水管理モデル表
Ｐ  収穫期人工榾木
１  栽培ハウス
２  グラフ線
３  栽培棚
４  シート
５  散水ノズル
【図１】
0003196992.tif 000003
【図２】
0003196992.tif 000004
【図３】
0003196992.tif 000005
【図４】
0003196992.tif 000006
【図５】
0003196992.tif 000007
【図６】
0003196992.tif 000008
【手続補正書】
【提出日】平成27年2月13日(2015.2.13)
【手続補正１】
【補正対象書類名】実用新案登録請求の範囲
【補正対象項目名】全文
【補正方法】変更
【補正の内容】
【実用新案登録請求の範囲】
【請求項１】
人工榾木について完熟して茸の発芽時期を迎えた時点からの重量をとる縦軸と、該時点の初日から収穫が終了する日までの収穫管理期間の経過日数をとる横軸とを、シートに縦横線として設け、該収穫管理期間において、適正な含水量の人工榾木の重量を経過日数の初日と最終日とで軽量して取った両値点が結ばれてなる傾斜形状のグラフ線を設けたことを特徴とする収穫期人工榾木の給水量検出表。
【請求項２】
茸の栽培期間を初期、中期、後期の横並びに区分した区分欄を設け、該区分欄の下に、前記経過日数が区分毎に記載される栽培日数欄と、区分毎に適正水分を含む榾木重量を表示する榾木重量目安欄とを上下に並列して設け、さらに、前記経過日数の記載位置にほゞ対応して茸の収穫量の累計を表示する収穫目安欄を設けてなる栽培散水管理モデル表が、前記シートに当該給水量検出表と併記して設けてあることを特徴とする請求項１記載の収穫期人工榾木の給水量検出表。
【手続補正２】
【補正対象書類名】明細書
【補正対象項目名】全文
【補正方法】変更
【補正の内容】
【考案の詳細な説明】
【技術分野】
【０００１】
この考案は、完熟した収穫期人工榾木に、茸が適正に発芽・育成・収穫され得るように助けとなる収穫期人工榾木の給水量検出表に関する。
【背景技術】
【０００２】
人工榾木は、おが屑や米ぬか等に肥料を加えて水で練りブロック状に成形したもので、原木に代わってこれを使用する栽培を菌床栽培というが、原木栽培が重労働で生産性が低いのに対して、菌床栽培がブロック状の人工榾木を使用することで合理化をなしやすいため現在主流となっている。しかし、菌床栽培では、原木に比べると保水性に乏しいため、散水または浸水等による水管理が欠かせなく非常に重要である。
【０００３】
収穫期人工榾木とは、おが屑や米ぬか等の材料の調整とともに、ブロック状の成形をしてから、種菌の接種をした後、菌床全体に菌が蔓延するまで完熟させる手数をかけたものをいう。言わば茸の収穫が可能な時期を迎えた言わば製品化されて榾木と言える。それを茸の収穫部門又は生産者(農家等)に渡して茸の発芽・生育等に専念させる分業体制を取られることが多いが、殊に農家等の生産者においては、不慣れなために水分調整としての水管理が難しかった。
【考案の概要】
【考案が解決しようとする課題】
【０００４】
水管理については、栽培棚に収穫期人工榾木を配置し、上からスプリンクラーにより時々散水が施される。この時、最適水分含水量に過不足がないことが要求されるが、これが具体的には分かりにくかった。特に、一般農家等を生産者としてそれに分業させる体制をとった場合、水の過剰により人工榾木にカビが発生したり、収穫した茸が水っぽく傷みやすかったり、逆に水分不足により期待する収穫量が得られない等の事態を招くことがあり、また、このようなことの無いように指導することも容易ではなかった。
【０００５】
この考案は、上記のような実情に鑑みて、ハウス内に完熟人工榾木を棚並べして給水し水管理する場合に、水分が適正範囲に保持されるように、水加減しやすくなる給水量検出表を提供することを課題とした。
【課題を解決するための手段】
【０００６】
上記の課題を解決するために、この考案は、人工榾木について完熟して茸の発芽時期を迎えた時点からの重量をとる縦軸と、該時点の初日から収穫が終了する日までの収穫管理期間の経過日数をとる横軸とを、シートに縦横線として設け、該収穫管理期間において、適正な含水量の人工榾木の重量を経過日数の初日と最終日とで軽量して取った両値点が結ばれてなる傾斜形状のグラフ線を設けたことを特徴とする収穫期人工榾木の給水量検出表を提供する。
【０００７】
完熟した収穫期人工榾木の適正給水量検出表を上記のように構成したから、これをハウス内に棚配置して水管理する場合に、毎日又は定期的にサンプル採取することにより、その値がグラフ線の位置から判断して不足があればその分量の重量になるように散水し、過不足がなければそのままにして散水を見合わせる。なお、吸水は散水によるとは限らなく他の手段、例えば水に浸すような手段であっても良い。
【考案の効果】
【０００８】
以上説明したように、この考案の収穫期人工榾木の給水量検出表によれば、ハウス内で水管理する場合に、サンプル採取して榾木の重量を計り、グラフ線で表示される該当日の値と比較して一見して榾木重量の過不足を判別し、それを参考に吸水することにより、最も効率的に茸の発芽・育成・収穫に適する吸水を施すことができるが、水分の適正によりカビの発生や不良茸の発生もなくなり、分業による茸の栽培指導も容易となるという優れた効果がある。
【図面の簡単な説明】
【０００９】
【図１】この考案の収穫期人工榾木の給水量検出表を示す平面図である。
【図２】この収穫期人工榾木の給水量検出表に添付して参考にされる「栽培散水管理モデル表」である。
【図３】この考案を実施する栽培ハウスの側面から見た模式的断面図である。
【図４】同ハウス内に装備される散水ノズルの構造を示す正面から見た説明図である。
【図５】同ハウス内における散水状況(散水ノズルによる散水範囲)を平面から見た説明図である。
【図６】同ハウス内における散水状況（散水ノズルによる散水範囲）を正面から見た説明図である。
【考案を実施するための形態】
【００１０】
この考案による給水量検出表は完熟した収穫期人工榾木に適用する。紙やプラスチックのシート４に線グラフを表示したものであるが、必要に応じて、目的、見方等の説明書きが付されることがある。
【００１１】
収穫期人工榾木とは、製造については、おが屑、米ぬか、肥料等を混合して水で練ってブロック状に成形し、種菌を接種してから、菌が蔓延するまで熟成させて収穫期を迎えたものであるのであるが、茸の栽培は別の環境でなすために、同じ工場では別部門に搬送され、外へは農家等に分配して、いずれも空調管理が完備したハウス内で例えば１５０日の有効栽培日数をかけて収穫作業が行われ、その時にこの考案の「収穫期人工榾木の給水量検出表」が使用される。
【００１２】
「収穫期人工榾木の給水量検出表」は、適正に発芽・収穫が得られる場合の「榾木重量モデル推移」を表したもので、定期的なサンプル採取をもとに表示されると、折れ線グラフとなるが、実施例では、最初と最後とを取って直線グラフとして表示される。
【実施例１】
【００１３】
収穫期人工榾木の給水量検出表Ｈは、完熟人工榾木Ｐについて、紙やプラスチックのシート４に、前記したようないわば適正な「榾木重量モデル推移」グラフを表示したもので、そのグラフは、縦軸７に一個の完熟榾木Ｐの重量を取り、栽培期間を１５０日として横軸８に５日毎の経過日数を取って、５日毎の榾木Ｐの最適重量の減少推移を表したグラフ線２が表示される。
【００１４】
栽培散水管理モデル表Ｇは、図２に示すもので、１５０日の有効栽培日数を初期、中期、後期に分けた横長の区分欄１０があって、その下に栽培日数欄１２が「栽培日数」の項目１２aを付して設けられる。栽培日数欄１２は、初期区分では０日、３０日、４５日の配列に、中期区分では６０日、９０日、１０５日の配列に、後記区分では１２０日、１５０日の配列にして日数範囲が表示される。
【００１５】
グラフ線２は、日数の経過とともに下がる傾斜した直線に表示されるが、これは重量の変化と日数の経過とは比例関係にあることに着眼したからで、最初の重量の値は、約１１００g、最終(１５０日目)の値は５００gであるので、その両点を結んでグラフ線２を表示した。その間に６００gの減少量であるので、一日に換算すると約４gの減少に相当する。これは、椎茸の収穫量の他に、人工榾木Ｐの生命活動に伴う栄養成分量等を主に差し引いた量であり、この減量による重量が適正水分を保持していることをグラフが表示している。
【００１６】
そこで、給水量検出表Ｈを使用するときに、３０日目であると、９８０gを示しているので、サンプル採取によりそれよりも当日の人工榾木Ｐが重いならば、散水時間を少なめにして、軽いならば散水時間を多めにすることで水分調整する。８０日目であると７６０g、１００日目であると７００gと見て取れるので、それを目安に散水量を同様に調整する。次に、この水管理をするためのハウス１内の装備について説明する。
【００１７】
ハウス１内には栽培棚３が配置され（図３）、それぞれ１台が７段(幅４．０×奥行０．６５×高さ１．６m)で人工榾木Ｐ，Ｐ，・・を上下において千鳥状に配列できるものである(図５、図６)。
【００１８】
棚３には上部からスプリンクラー５で散水できるようにそれが配管とともに配列される。スプリンクラー５は、図４に示すように、ノズル１１に回転枠１３が取り付けられ、それにノズル１１からの噴出水が突き当たる突起１５が設けられているので、衝突した水は周囲に分散する（矢印参照）。散水量は０．６１/分であり、ノズル内径０．９mm、散水パターン３６０°回転範囲において、水圧２．５kgｆ/cm2により散水直径１．１mであって、人工榾木の配列全体が円形の噴霧範囲１７に覆われる(図５、図６)。
【００１９】
温度調整は、２４時間を通じて行われるが、散水については、１日１回、夕方に行なうことを標準とする。散水量は通常０．５時〜３．０時間を目安とし、人工榾木Ｐの重量、弾力性、椎茸発生量等に応じて、タイマー制御により散水時間が増減して適量散水される。この際に、下記する栽培散水管理モデル表Ｇを参考にして散水量をさらに適正に補正できる。
【００２０】
また、この栽培日数欄１２の下には、各期の日数区分毎において榾木の重量の範囲を表示した榾木重量目安欄１４を設け、これには「ホダ木重量目安」の項目１４aを付してある。榾木重量目安欄１４は、初期区分では９００〜１，３００gと８５０〜１，０５０ｇ、中期では７５０〜９５０ｇと６００〜８５０g、後期では５００〜７００ｇの各範囲が表示される。
【００２１】
さらに、榾木重量目安欄１４の下に、「収量目安」の項目１６aを付して収量目安欄１６を設け、ここでは、収量は初日からの榾木（ホダ）当り収穫茸の重量を累計することにおいて表示し、経過日数にほゞ相当する位置に「約７５g」、「約３７０ｇ」、「約５５０ｇ」としてその値が記載してある。
【００２２】
適正な「榾木重量目安」については、榾木重量＋榾木当たり累積収穫量＝１，０００ｇ前後とみると、榾木の適正な有効重量が推測され得るので、これを参考に併用することにより散水量の適正な補正が可能となる。
【００２３】
栽培散水管理モデル表Ｇは、図２に示すもので、１５０日の有効栽培日数を初期、中期、後期に分け、さらに、「栽培日数」の欄を設け、初期では０日、３０日、４５日毎に、中期では６０日、９０日、１０５日毎に、後記では１２０日、１５０日毎にそれぞれ区分し、各期の日数区分毎における適正な「ホダ木重量目安」と、「収量目安」の欄とを設け、収量は榾木（ホダ）当り累計として表示した。適正な「ホダ木重量目安」については、榾木重量＋榾木当たり累積収穫量＝１，０００g前後とみると、榾木の有効重量が推測され得るので、これを参考に併用することにより散水量の適正な補正が可能となる。
【符号の説明】
【００２４】
Ｈ  収穫期人工榾木の給水量検出表
Ｇ  栽培散水管理モデル表
Ｐ  収穫期人工榾木
１  栽培ハウス
２  グラフ線
３  栽培棚
４  シート
５  散水ノズル
７  縦軸
８  横軸
１０  区分欄
１２  栽培日数欄
１４  ホダ木重量目安欄
１６  収量目安欄
【手続補正３】
【補正対象書類名】図面
【補正対象項目名】図１
【補正方法】変更
【補正の内容】
【図１】
0003196992.tif 000009
【手続補正４】
【補正対象書類名】図面
【補正対象項目名】図２
【補正方法】変更
【補正の内容】
【図２】
0003196992.tif 000010